【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
物体側から像側へと順に、
正のパワーを有する第１レンズ群と、
負のパワーを有する第２レンズ群と、
後続レンズ群と
からなり、
前記第１レンズ群は、３枚又は４枚のレンズ素子で構成されており、
開口絞りと、
像のぶれを光学的に補正するために光軸に対して垂直方向に移動する、１枚以上のレンズ素子で構成された像ぶれ補正レンズ群と、
無限遠合焦状態から近接物体合焦状態へのフォーカシングの際に光軸に沿って移動する、１枚以上のレンズ素子で構成されたフォーカシングレンズ群と
を備えており、
前記後続レンズ群は、前記開口絞り、前記像ぶれ補正レンズ群及び前記フォーカシングレンズ群を有し、
前記像ぶれ補正レンズ群及びフォーカシングレンズ群は、開口絞りよりも像側に配置されており、
以下の条件（１）及び（２）を満足する、ズームレンズ系：
１．８＜｜（ＹＷ／ｆＷ）×ＦＮＯＴ×（ｆＴ／ｆＷ）｜＜４．５  ・・・（１）
０．００１＜（Ｄ１Ｗ＋Ｄ２Ｔ）／ｆＷ＜０．２００  ・・・（２）
ここで、
ＹＷ：次式で表される、広角端における対角像高
ＹＷ＝ｆＷ×ｔａｎ（ωＷ）、
ｆＷ：広角端における全系の焦点距離、
ｆＴ：望遠端における全系の焦点距離、
ωＷ：広角端における半画角、
ＦＮＯＴ：望遠端におけるＦナンバー、
Ｄ１Ｗ：広角端における第１レンズ群と第２レンズ群との面頂間隔、
Ｄ２Ｔ：望遠端における第２レンズ群と後続レンズ群のうち最物体側に配置されたレンズ群との面頂間隔
である。
【請求項２】
像ぶれ補正レンズ群とフォーカシングレンズ群との間には、負のパワーを有するレンズ素子が配置されていない、請求項１に記載のズームレンズ系。
【請求項３】
最像側に配置されたレンズ群は、正のパワーを有する、請求項１に記載のズームレンズ系。
【請求項４】
最像側に配置されたレンズ群は、撮像時の広角端から望遠端へのズーミングの際に、像面に対して固定である、請求項１に記載のズームレンズ系。
【請求項５】
像ぶれ補正レンズ群及びフォーカシングレンズ群の少なくとも１つは、負のパワーを有する、請求項１に記載のズームレンズ系。
【請求項６】
後続レンズ群は、少なくとも３つのレンズ群を含む、請求項１に記載のズームレンズ系。
【請求項７】
像ぶれ補正レンズ群は、接合レンズ素子を有する、請求項１に記載のズームレンズ系。
【請求項８】
第１レンズ群は、撮像時の広角端から望遠端へのズーミングの際に、像面に対して固定である、請求項１に記載のズームレンズ系。
【請求項９】
後続レンズ群は、少なくとも２つのレンズ群を含み、
撮像時の広角端から望遠端へのズーミングの際に、前記後続レンズ群の少なくとも２つのレンズ群は、像面に対して固定である、請求項８に記載のズームレンズ系。
【請求項１０】
開口絞りは、撮像時の広角端から望遠端へのズーミングの際に、像面に対して固定である、請求項８に記載のズームレンズ系。
【請求項１１】
フォーカシングレンズ群の最物体側レンズ面は、物体側に凸面を向けた形状を有する、請求項８に記載のズームレンズ系。
【請求項１２】
物体側から像側へと順に、開口絞り、像ぶれ補正レンズ群及びフォーカシングレンズ群が配置されている、請求項８に記載のズームレンズ系。
【請求項１３】
請求項１に記載のズームレンズ系と、
前記ズームレンズ系が形成する光学像を受光して電気的な画像信号に変換する撮像素子を含むカメラ本体との接続が可能なレンズマウント部と
を備える、交換レンズ装置。
【請求項１４】
請求項１に記載のズームレンズ系を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体とを備える、カメラシステム。
【手続補正２】
【補正対象書類名】明細書
【補正対象項目名】００１０
【補正方法】変更
【補正の内容】
【００１０】
本開示におけるズームレンズ系は、
物体側から像側へと順に、
正のパワーを有する第１レンズ群と、
負のパワーを有する第２レンズ群と、
後続レンズ群と
からなり、
前記第１レンズ群は、３枚又は４枚のレンズ素子で構成されており、
開口絞りと、
像のぶれを光学的に補正するために光軸に対して垂直方向に移動する、１枚以上のレンズ素子で構成された像ぶれ補正レンズ群と、
無限遠合焦状態から近接物体合焦状態へのフォーカシングの際に光軸に沿って移動する、１枚以上のレンズ素子で構成されたフォーカシングレンズ群と
を備えており、
前記後続レンズ群は、前記開口絞り、前記像ぶれ補正レンズ群及び前記フォーカシングレンズ群を有し、
前記像ぶれ補正レンズ群及びフォーカシングレンズ群は、開口絞りよりも像側に配置されており、
以下の条件（１）及び（２）：
１．８＜｜（ＹＷ／ｆＷ）×ＦＮＯＴ×（ｆＴ／ｆＷ）｜＜４．５  ・・・（１）
０．００１＜（Ｄ１Ｗ＋Ｄ２Ｔ）／ｆＷ＜０．２００  ・・・（２）
（ここで、
ＹＷ：次式で表される、広角端における対角像高
ＹＷ＝ｆＷ×ｔａｎ（ωＷ）、
ｆＷ：広角端における全系の焦点距離、
ｆＴ：望遠端における全系の焦点距離、
ωＷ：広角端における半画角、
ＦＮＯＴ：望遠端におけるＦナンバー、
Ｄ１Ｗ：広角端における第１レンズ群と第２レンズ群との面頂間隔、
Ｄ２Ｔ：望遠端における第２レンズ群と後続レンズ群のうち最物体側に配置されたレンズ群との面頂間隔
である）
を満足する
ことを特徴とする。
【手続補正３】
【補正対象書類名】明細書
【補正対象項目名】００１１
【補正方法】変更
【補正の内容】
【００１１】
本開示における交換レンズ装置は、
物体側から像側へと順に、
正のパワーを有する第１レンズ群と、
負のパワーを有する第２レンズ群と、
後続レンズ群と
からなり、
前記第１レンズ群は、３枚又は４枚のレンズ素子で構成されており、
開口絞りと、
像のぶれを光学的に補正するために光軸に対して垂直方向に移動する、１枚以上のレンズ素子で構成された像ぶれ補正レンズ群と、
無限遠合焦状態から近接物体合焦状態へのフォーカシングの際に光軸に沿って移動する、１枚以上のレンズ素子で構成されたフォーカシングレンズ群と
を備えており、
前記後続レンズ群は、前記開口絞り、前記像ぶれ補正レンズ群及び前記フォーカシングレンズ群を有し、
前記像ぶれ補正レンズ群及びフォーカシングレンズ群は、開口絞りよりも像側に配置されており、
以下の条件（１）及び（２）：
１．８＜｜（ＹＷ／ｆＷ）×ＦＮＯＴ×（ｆＴ／ｆＷ）｜＜４．５  ・・・（１）
０．００１＜（Ｄ１Ｗ＋Ｄ２Ｔ）／ｆＷ＜０．２００  ・・・（２）
（ここで、
ＹＷ：次式で表される、広角端における対角像高
ＹＷ＝ｆＷ×ｔａｎ（ωＷ）、
ｆＷ：広角端における全系の焦点距離、
ｆＴ：望遠端における全系の焦点距離、
ωＷ：広角端における半画角、
ＦＮＯＴ：望遠端におけるＦナンバー、
Ｄ１Ｗ：広角端における第１レンズ群と第２レンズ群との面頂間隔、
Ｄ２Ｔ：望遠端における第２レンズ群と後続レンズ群のうち最物体側に配置されたレンズ群との面頂間隔
である）
を満足するズームレンズ系と、
前記ズームレンズ系が形成する光学像を受光して電気的な画像信号に変換する撮像素子を含むカメラ本体との接続が可能なレンズマウント部と
を備える
ことを特徴とする。
【手続補正４】
【補正対象書類名】明細書
【補正対象項目名】００１２
【補正方法】変更
【補正の内容】
【００１２】
本開示におけるカメラシステムは、
物体側から像側へと順に、
正のパワーを有する第１レンズ群と、
負のパワーを有する第２レンズ群と、
後続レンズ群と
からなり、
前記第１レンズ群は、３枚又は４枚のレンズ素子で構成されており、
開口絞りと、
像のぶれを光学的に補正するために光軸に対して垂直方向に移動する、１枚以上のレンズ素子で構成された像ぶれ補正レンズ群と、
無限遠合焦状態から近接物体合焦状態へのフォーカシングの際に光軸に沿って移動する、１枚以上のレンズ素子で構成されたフォーカシングレンズ群と
を備えており、
前記後続レンズ群は、前記開口絞り、前記像ぶれ補正レンズ群及び前記フォーカシングレンズ群を有し、
前記像ぶれ補正レンズ群及びフォーカシングレンズ群は、開口絞りよりも像側に配置されており、
以下の条件（１）及び（２）：
１．８＜｜（ＹＷ／ｆＷ）×ＦＮＯＴ×（ｆＴ／ｆＷ）｜＜４．５  ・・・（１）
０．００１＜（Ｄ１Ｗ＋Ｄ２Ｔ）／ｆＷ＜０．２００  ・・・（２）
（ここで、
ＹＷ：次式で表される、広角端における対角像高
ＹＷ＝ｆＷ×ｔａｎ（ωＷ）、
ｆＷ：広角端における全系の焦点距離、
ｆＴ：望遠端における全系の焦点距離、
ωＷ：広角端における半画角、
ＦＮＯＴ：望遠端におけるＦナンバー、
Ｄ１Ｗ：広角端における第１レンズ群と第２レンズ群との面頂間隔、
Ｄ２Ｔ：望遠端における第２レンズ群と後続レンズ群のうち最物体側に配置されたレンズ群との面頂間隔
である）
を満足するズームレンズ系、を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体とを備える
ことを特徴とする。
【手続補正５】
【補正対象書類名】明細書
【補正対象項目名】０１２１
【補正方法】変更
【補正の内容】
【０１２１】
例えば実施の形態１〜７に係るズームレンズ系のように、物体側から像側へと順に、正のパワーを有する第１レンズ群と、負のパワーを有する第２レンズ群と、後続レンズ群とからなり、前記第１レンズ群は、３枚又は４枚のレンズ素子で構成されており、開口絞りと、像のぶれを光学的に補正するために光軸に対して垂直方向に移動する、１枚以上のレンズ素子で構成された像ぶれ補正レンズ群と、無限遠合焦状態から近接物体合焦状態へのフォーカシングの際に光軸に沿って移動する、１枚以上のレンズ素子で構成されたフォーカシングレンズ群とを備えており、前記後続レンズ群は、前記開口絞り、前記像ぶれ補正レンズ群及び前記フォーカシングレンズ群を有し、前記像ぶれ補正レンズ群及びフォーカシングレンズ群は、開口絞りよりも像側に配置されている（以下、このレンズ構成を、実施の形態の基本構成という）ズームレンズ系は、以下の条件（１）及び（２）を満足する。
１．８＜｜（ＹＷ／ｆＷ）×ＦＮＯＴ×（ｆＴ／ｆＷ）｜＜４．５  ・・・（１）
０．００１＜（Ｄ１Ｗ＋Ｄ２Ｔ）／ｆＷ＜０．２００  ・・・（２）
ここで、
ＹＷ：次式で表される、広角端における対角像高
ＹＷ＝ｆＷ×ｔａｎ（ωＷ）、
ｆＷ：広角端における全系の焦点距離、
ｆＴ：望遠端における全系の焦点距離、
ωＷ：広角端における半画角、
ＦＮＯＴ：望遠端におけるＦナンバー、
Ｄ１Ｗ：広角端における第１レンズ群と第２レンズ群との面頂間隔、
Ｄ２Ｔ：望遠端における第２レンズ群と後続レンズ群のうち最物体側に配置されたレンズ群との面頂間隔
である。
【手続補正６】
【補正対象書類名】明細書
【補正対象項目名】０１２４
【補正方法】変更
【補正の内容】
【０１２４】
前記条件（２）は、広角端での第１レンズ群と第２レンズ群との間隔及び望遠端での第２レンズ群と後続レンズ群のうち最物体側に配置されたレンズ群、すなわち第３レンズ群との間隔の合計と、広角端での焦点距離との比を規定している。各実施の形態に係るズームレンズ系は、条件（２）を満足するので、最もレンズ全長が短縮化された構成である。条件（２）の上限を上回ると、広角端でレンズ全長の短縮化の可能性が残っており、小型化の観点で最適ではない。条件（２）の下限を下回ると、広角端で第１レンズ群と第２レンズ群との間隔が充分に確保されていないか、又は、望遠端で第２レンズ群と第３レンズ群との間隔が充分に確保されておらず、レンズ鏡筒の構成が現実的ではない。